(57)【要約】  被覆材を取り付けるための溝又は間隙（１１）を備える印刷板シリンダにおいて、被覆材は、曲げられてシリンダの溝又は間隙に挿入されると被覆材に隙間を形成する２つのフラップ（２１１及び２１１'）を有し、隙間に挿入されて隙間内で係止されて隙間を塞ぎ、且つ被覆材から半径方向に突出することがないように設計される細長い形状の要素（２３）を備える補完要素を提供する。【選択図】図１
2012507413.tif 000002
【特許請求の範囲】
【請求項１】
印刷シリンダの被覆材を補完する補完要素であって、
前記シリンダは、前記被覆材を取り付けるための溝（１１）を有し、
前記被覆材は、２つのフラップ（２１１及び２１１'）を有し、
前記２つのフラップは、曲げられて前記溝に挿入されると、前記被覆材に隙間を形成し、
前記補完要素は、
前記隙間に挿入されて、前記被覆材から半径方向に突出することなく前記隙間内に係止されるよう設計された、細長い形状の要素（２３）を備え、
前記細長い形状の要素によって前記隙間が塞がれることを特徴とする印刷シリンダの被覆材の補完要素。
【請求項２】
前記補完要素は、圧縮性材料によって形成されていることを特徴とする請求項１に記載の印刷シリンダの被覆材の補完要素。
【請求項３】
前記補完要素は、エラストマー材料によって形成されていることを特徴とする請求項１に記載の印刷シリンダの被覆材の補完要素。
【請求項４】
前記補完要素は、押し出し成形又は型成形によって形成されることを特徴とする請求項１に記載の印刷シリンダの被覆材の補完要素。
【請求項５】
前記補完要素は、矩形、台形又は円形の断面形状、若しくは開断面を有することを特徴とする請求項１に記載の印刷シリンダの被覆材の補完要素。
【請求項６】
前記補完要素は、空洞又は微小球を含むことを特徴とする請求項１に記載の印刷シリンダの被覆材の補完要素。
【請求項７】
印刷シリンダの被覆材を補完する方法であって、
前記印刷シリンダ（１）に前記被覆材（２）を取り付けるのに伴って形成される隙間内に、細長い形状の要素（２３）を挿入して詰め込む段階を備え、
前記細長い形状の要素（２３）は、前記被覆材から半径方向に突出することなく前記隙間内に係止されて前記隙間を塞ぐように設計されていることを特徴とする方法。
【請求項８】
前記細長い形状の要素（２３）は、圧縮領域（２３１）及び付属部（２３２）を有し、
前記付属部は、前記圧縮領域（２３１）と結合される先端部領域（２３２'）を含み、前記付属部は、前記２つのフラップ（２１１、２１１'）の間に挿入されるべく設計され、前記圧縮領域（２３１）は、前記隙間に係止されて前記被覆材の半径方向に突出することなく前記隙間を塞ぐように設計されていることを特徴とする請求項１に記載の印刷シリンダの被覆材の補完要素。
【請求項９】
前記圧縮領域（２３１）は、エラストマー材料、及び／又は、空洞又は微小球を含む材料を含むことを特徴とする請求項８に記載の補完要素。
【請求項１０】
前記圧縮領域（２３１）は、高分子材料を含むことを特徴とする請求項８に記載の補完要素。
【請求項１１】
前記高分子材料は、ポリエステル及び／又はポリアミド及び／又はポリウレタンであることを特徴とする請求項１０に記載の補完要素。
【請求項１２】
前記圧縮領域（２３１）は、矩形又は台形の断面形状、若しくは、円筒形の蓋の一部のような形状を有することを特徴とする請求項８に記載の補完要素。
【請求項１３】
前記付属部（２３２）は、前記圧縮領域（２３１）と同じ材料で形成されている、又は金属で形成されている、又はポリエステルで形成されていることを特徴とする請求項８に記載の補完要素。
【請求項１４】
前記補完要素は、全体が同じ材料で形成されており、前記付属部（２３２）及び前記圧縮領域（２３１）の両方を形成するように曲げられた薄板を含むことを特徴とする請求項８に記載の補完要素。
【請求項１５】
前記薄板は、渦巻き形状に曲げられることを特徴とする請求項１４に記載の補完要素。
【請求項１６】
前記請求項８から請求項１５のいずれか一項に記載の細長い形状の要素を形成する方法であって、
前記先端部領域（２３２'）が前記圧縮領域（２３１）内に埋め込まれるように、前記先端部領域（２３２'）上に前記圧縮領域（２３１）を型成形する又は押し出し成形する段階を備えることを特徴とする細長い形状の要素を形成する方法。
【請求項１７】
前記先端部領域（２３２'）は、Ｔ字形状、Ｌ字形状又はＶの字を上下反対にした形状に形成される、若しくは、開口部を有する薄板を含むことを特徴とする請求項１６に記載の細長い形状の要素を形成する方法。
【請求項１８】
前記細長い形状の要素（２３）が形成される時に、前記圧縮領域（２３１）を形成する材料が前記開口部を通過する請求項１７に記載の細長い形状の要素を形成する方法。
【請求項１９】
印刷シリンダの被覆材を完成させるべく組み立てる方法であって、
請求項８から１４のいずれか一項に記載の細長い形状の要素（２３）を、前記被覆材（２）を前記印刷シリンダ（１）に取り付けることによって形成された前記隙間に挿入し詰め込む段階を備え、
前記細長い形状の要素（２３）は、前記被覆材の半径方向に突出することなく前記隙間に係止されるように設計されていることを特徴とする取り付け方法。
【請求項２０】
被覆材の前記２つの曲折可能なフラップ（２１１及び２１１'）を受容するように設計された溝（１１）を備え、
請求項１から請求項６及び請求項８から請求項１５のいずれかに記載の前記フラップ（２１１及び２１１'）及び細長い形状の要素（２３）を有する被覆材を備えることを特徴とする印刷シリンダ。
【請求項２１】
印刷シリンダの被覆材を形成する方法であって、
前記被覆材は、少なくとも１つの上部層（２２）が堆積される硬層（２１）を有し、
前記被覆材が前記印刷シリンダ（１）に取り付けられた状態において、前記上部層の厚みによって、２つの対向する縁（２２１及び２２１'）が規定され、
前記方法は、
少なくとも１つの細長い形状の要素（２３）が予め配置され、前記２つの対向する縁（２２１、２２１'）の１つに、前記縁の長さの少なくとも一部にわたって付属部であるかのように、前記細長い形状の要素が付着される段階を備える印刷シリンダの被覆材を形成する方法。
【請求項２２】
前記２つの対向する縁（２２１及び２２１'）に対応する前記硬層（２１）の前記２つのフラップ（２１１及び２１１'）を、前記印刷シリンダ（１）の長手方向の溝（１１）に挿入するべく曲げることにより、前記被覆材（２）を前記印刷シリンダ（１）に取り付ける段階を更に備え、
前記段階により、前記２つのフラップの間に形成された空間が前記細長い形状の要素（２３）によって塞がれることを特徴とする請求項２１に記載の印刷シリンダの被覆材を形成する方法。
【請求項２３】
前記細長い形状の要素（２３）は、押し出し成形又は型成形によって形成され、その後に、前記２つの対向する縁（２２１、２２１'）の前記１つに接着されることを特徴とする請求項２１に記載の印刷シリンダの被覆材を形成する方法。
【請求項２４】
前記細長い形状の要素（２３）は、前記２つの対向する縁（２２１、２２１'）の前記１つの上に、封止剤のように、前記細長い形状の要素の材料を直接堆積させることによって形成されることを特徴とする請求項２１に記載の印刷シリンダの被覆材を形成する方法。
【請求項２５】
印刷シリンダの被覆材であって、
少なくとも１つの上部層（２２）が堆積される硬層（２１）を備え、
前記被覆材が前記印刷シリンダ（１）に取り付けられた状態において、前記上部層の厚みによって、２つの対向する縁（２２１及び２２１'）が規定され、
前記被覆材は、前記２つの対向する縁（２２１、２２１'）の１つに、前記縁の長さの少なくとも一部にわたって、付属部であるかのように付着される細長い形状の要素（２３）を備えることを特徴とする被覆材。
【請求項２６】
前記細長い形状の要素（２３）は、前記被覆材が前記印刷シリンダ（１）に取り付けられた状態において、前記２つの対向する縁（２２１及び２２１'）の間に係止されるような断面形状を有することを特徴とする請求項２５に記載の被覆材。
【発明の詳細な説明】
【技術分野】
【０００１】
本発明は、印刷シリンダの被覆材を完成させる補完要素、その製造方法及び補完方法、印刷シリンダの被覆材及びその製造方法、被覆材を含む印刷シリンダ、並びに印刷板シリンダに被覆材を取り付ける方法に関する。
【背景技術】
【０００２】
活版印刷の機械は、様々なシリンダから構成されており、複数のシリンダうちの一部は、紙送りの駆動機能のみを実行し、また、別のシリンダは、印刷プロセスを実行する。印刷プロセスを実行するシリンダのうちの少なくとも１つは、印刷マトリクスからインクを拾い上げる機能を実行し、そのインクを紙に転写させる。被覆材（オフセットブランケット）は、ある程度の圧縮性を有していることが必要であり、この圧縮性により、印刷マトリクスからのインクの拾い上げが効率的となり、その結果、印刷品質が向上する。
【０００３】
被覆材が劣化した場合には、シリンダから取り除かれ、新しい被覆材と取り替えられる。
【０００４】
上記の目的から、シリンダは、シリンダの長さ全体に渡って長手方向に延在する溝又は間隙を有し、その溝に被覆材のフラップが挿入されることにより、被覆材がシリンダから剥がれ落ちないようになっている。
【０００５】
被覆材は様々な層から形成されており、１番目の層を硬いものとし、それ以外の層を軟らかいものとしてもよい。硬層は、通常、金属により形成され、軟層は、布及び／又はエラストマーにより形成される。
【０００６】
軟層は、布の層とエラストマーの層とが交互に重ね合わされた積層構造とされる場合もある。このように交互に配置された層の数及び厚みを調整することにより、被覆材における適切な圧縮度を実現することができる。
【０００７】
被覆材には、被覆材のフラップが挿入されるシリンダの溝又は間隙に対応する位置に、隙間が形成されてしまうことがある。
【０００８】
シリンダの溝又は間隙は通常、シリンダの断面に対して半径方向ではなく、回転において先行する縁（"前縁"）に向かって曲がっている。ここで、"後縁"とは前縁と反対側の縁であると定義する。
【０００９】
多くの場合、硬層である金属層の、溝又は間隙に挿入されるフラップ部分は、最上層によって完全に正確には覆われておらず、これは、フラップをシリンダの溝又は間隙に挿入するのを容易にするためであり、被覆材の最上層の表面縁の間に隙間が形成されている。
【００１０】
また、被覆材の表面に設けられた上述の隙間に、望ましくない物質が堆積してしまう場合があり、主に、ブランケットを洗浄する工程で、洗浄システムが望ましくない物質を上述の隙間に押し込んでしまう。
【００１１】
望ましくない物質としては、インク及び噴出液体に混合した紙粉が含まれる。
【００１２】
印刷機が使用されていない期間に、インクに混合した紙粉が乾き、隙間内で粘着性を失って、剥がれ落ち、それが、印刷板シリンダの被覆材の表面に散らばって、被覆材を傷めてしまう場合がある。上述のような印刷板シリンダの被覆材に存在する隙間による技術的問題をなくし、望ましくない物質が堆積してしまう問題を、簡潔で安価な方法で解決することが求められている。
【発明の概要】
【発明が解決しようとする課題】
【００１３】
本発明は、従来技術の上記のような問題を解決する、印刷シリンダの被覆材を完成させる補完要素、その製造方法及び補完方法、印刷シリンダの被覆材及びその製造方法、被覆材を含む印刷シリンダ、並びに印刷板シリンダに被覆材を取り付ける方法を提供することを目的とする。
【課題を解決するための手段】
【００１４】
本発明の特徴を形成するものとして、印刷シリンダの被覆材を完成させる補完要素、その製造方法及び補完方法、印刷シリンダの被覆材及びその製造方法、被覆材を含む印刷シリンダ、並びに印刷板シリンダに被覆材を取り付ける方法を提供し、これらは、請求項に規定され、本明細書に不可欠な部分を構成している。
【００１５】
本発明の更なる特徴及び利点は、以下の望ましい実施形態の詳細な説明を参照することにより、より明らかになるであろう。また、印刷シリンダの被覆材を完成させる要素、その製造方法及び仕上げ方法、印刷シリンダの被覆材及びその製造方法、被覆材を含む印刷シリンダ、並びに印刷板シリンダに被覆材を塗布する方法の実施形態は、非限定的な例として示されており、添付の図面を参照することにより良く理解されるであろう。
【図面の簡単な説明】
【００１６】
【図１】被覆材を設けるための溝又は間隙が明確に示された印刷板シリンダの断面図である。
【図２】被覆材が印刷板シリンダに設けられた後の間隙に対応する位置の被覆材の断面図である。
【図３】補間要素の第２変形例の断面図である。
【図４】第３変形例である内部に空洞を組み込んだ補完要素の断面図を示している。
【図５】第４変形例である台形の断面形状を有する補完要素の実施形態を示した図である。
【図６】第５変形例である開断面を有する補完要素の実施形態を示した図である。
【図７】印刷板シリンダに取り付けられた後の隙間に対応する位置の被覆材の断面図、及び第６変形例の補完要素の付属部が挿入された状態を示した図である。
【図８】前図の付属部を有する補完要素の断面図である。
【図９】補完要素の第７、第８、第９及び第１０変形例を示した図である。
【図１０】更なる好ましい実施形態に係る印刷板シリンダの被覆材のフラップの断面図である。
【図１１】図１０に示した被覆材の、印刷板シリンダに取り付けられた後の隙間に対応する位置の断面図である。
【発明を実施するための形態】
【００１７】
複数の図面で使用されている同じ参照番号及び文字は、同じ要素又は部品を示している。
【００１８】
図２〜図６に示すように、被覆材２は、複数の軟層２２が貼り付けられた硬層２１を含む。
【００１９】
被覆材２の印刷板シリンダ１への取り付けは、例えば、硬層２１のフラップ２１１及び２１１'を折り曲げて、印刷板シリンダ１の外側面の長手方向に延在するスリット１１（シリンダに設けられた間隙）に挿入することにより行われる。挿入されると、被覆材の、２つの対向する縁２２１及び２２１'の間に、隙間が形成される。
【００２０】
本発明によれば、印刷板シリンダ１の被覆材２は、補間要素、すなわち、細長く形成された要素２３（隙間充填材）を、被覆材２の軟材２２の層の縁２２１と縁２２１'との間に形成された隙間に装填することによって、完成する。
【００２１】
この解決方法によれば、隙間領域を接着剤を使用して硬化させてしまうことがなく、特に、隙間に接着剤を制御して塗布することが難しく、僅かな接着剤の染みでも印刷機の機能を損なってしまう可能性があることから、上記の解決方法は有効である。
【００２２】
上記の細長い要素又は充填材２３は、適切な形状を有し、また、圧縮性材料で形成されているので、一旦隙間に挿入されるとそこで拘持される。また、別々に形成されるので、被覆材の外面から突出しない形状にすることを保証でき、印刷の間に紙に対して悪影響を及ぼすことを防ぐことができる。充填材２３は、封止剤を使用して形成することができ、例えば、硬層２１の上部の被覆材部分の材料の層２２の厚みで規定される対向する縁２２１及び／又は２２１"を封止するのに使用されるのと同様な種類の封止剤を使用することができる。封止剤は、型に適切に注入されて、乾燥されてもよい。
【００２３】
充填材２３は、少なくとも隙間の一部分を塞ぐような、好ましくは、隙間全体の長さを塞ぐような長さを有する。また、微小球及び／又は空洞を含むエラストマー材料で形成されていてもよく、又は、圧縮性を付与し隙間に留まることができるようなその他の形状を有してもよい。図３及び図４に示すように、充填材の断面形状は、好ましくは、矩形であるが、図５に示すような台形断面形状、若しくは、三角形又は円形状（図示せず）のようなその他の断面形状であってもよい。また、充填材は、図６に示すような開断面を有してもよく、隙間に挿入される際に、一時的に充填材自体が変形するように構成してもよい。
【００２４】
この要素は、押し出し成形又は型成形で形成することができる。上述したように、この要素を圧入することにより、インク及び紙粉が隙間に堆積するのを防ぐことができる。
【００２５】
次に、図７〜図９を参照して、印刷板シリンダ１の被覆材を取り付ける方法を説明する。方法は、細長い補完要素又は充填材２３を準備し、充填材２３を、被覆材２の上層２２の厚みによって形成される対向する縁２２１又は２２１'の間に挿入する段階を備える。
【００２６】
上記の２つの対向する縁２２１又は２２１'は、互いに対向しており、被覆材が印刷板シリンダの周りに取り付けられ巻きつけられると、この部分に上述した隙間が形成される。
【００２７】
具体的には、取り付け時に、硬層２１のフラップ２１１及び２１１'が曲げられて、溝又は間隙１１に挿入される。
【００２８】
充填材２３は、図８にその断面図が示されるように、圧縮領域２３１及び付属部２３２を含み、付属部２３２は、圧縮領域と結合される先端部領域２３２'を有する。
【００２９】
被覆材を印刷板シリンダに取り付けた後に又は取り付けると同時に、充填材２３が間隙１１に挿入されて、圧縮領域が隙間を塞ぎ、付属部２３２は、更に深く詰め込まれて、係止する機能を提供し、圧縮領域が隙間から離脱してしまうのを防いでいる。
【００３０】
このようにして、隙間は、少なくともその長さの一部が、より好ましくは、長さ全体にわたって、充填材２３によって塞がれた状態となり、インク及び紙粉のような外部からの侵入物を防ぐことができる。
【００３１】
充填材の圧縮領域２３１の断面形状は、矩形、台形、円筒形の蓋の一部のような形状であってもよいし、別の形状を有してもよい。
【００３２】
また、充填材の圧縮領域は、好ましくは、エラストマー材料、及び／又は、圧縮性を付与する空洞又は微小球を含む材料によって構成されるが、別の構成として、剛性を有してもよく、また、例えば、ポリエステル、ポリアミド又はポリウレタンのような高分子材料で形成されてもよい。付属部は、充填材と同じ材料で形成されていてもよく、又は、アルミニウム又はスチールのような金属で形成されていてもよく、いかなる場合であっても、特定の使用に適合した機械的特性を有する材料が使用される。
【００３３】
充填材は、付属部の先端部分２３２'上に圧縮領域を成形する又は押し出し成形することにより形成され、先端部分が圧縮領域に埋め込まれた状態となるようにする。いずれの方法であっても、先端部分と圧縮領域との間が結合される。
【００３４】
図９を参照して、様々な実施形態を示す。これらの実施形態は、上記の先端部と圧縮部との間のより効果的な結合を提供できる。上記の先端部の圧縮領域に包まれる部分が、Ｔ字形状、Ｌ字形状又はＶの字を上下反対にした形であってもよく、あるいは、充填材の形成時に圧縮領域を形成する材料が通過する開口部が設けられた薄板であってもよい。
【００３５】
また、本発明の別の実施形態では、充填材は、全体が同じ材料によって形成され、薄板を曲げて上記の付属部２３２と圧縮領域２３１の両方を形成する。この実施形態では、薄板を、例えば、渦巻き形状に曲げることにより、充填材を隙間に挿入する際に必要とされる弾性を充填材に付与することができる。
【００３６】
本発明の別の側面によれば、充填材を隙間に挿入する工程は、被覆材を印刷板シリンダに取り付けるのに続いて、又は同時に行うことができる。
【００３７】
特に、同時に挿入する場合には、上記の付属部が、フラップ２１１及びフラップ２１１'によって摘まれて、これらフラップと共に引っ張られる。
【００３８】
この場合、付属部の充填材の圧縮領域に埋め込まれている端部とは反対側の端部は、僅かに大きい厚みを有してもよい、又は歯状突起を有していてもよい。歯状突起が、フラップ２１１及び２１１'のうちの少なくとも１つの縁部に引っかかり、被覆材の取り替え時に、充填材が外れてしまわないようにすることができる。
【００３９】
図１０及び図１１を参照して、印刷板シリンダ１の被覆材を製造する方法を示す。方法は、被覆材を印刷板シリンダ１に取り付ける前に、細長い形状の補完要素又は充填材２３を準備し、被覆材２の上層２２の厚みによって形成される２つの対向する縁２２１又は２２１'のうちの１つに付着させる工程を備える。
【００４０】
充填材の付着は、被覆材の形成段階又はその他の段階の間に、接着剤によって得られるようにしてもよい。好ましくは、対向する縁のうちの１つに面する充填材の縁部が、面する縁に接着剤によって貼着される。
【００４１】
被覆材が印刷板シリンダの周りに取り付けられ巻きつけられた状態になると、互いに対向する２つの縁２２１及び縁２２１'によって、上述の隙間が形成される。  具体的には、取り付け時に、硬層２１のフラップ２１１及び２１１'が曲げられて、溝又は間隙１１に挿入される。充填材２３は、実質的に、縁２２１に付着されているので、付属部であるかのように隙間内に懸吊し、また、縁２２１に付着している面と反対側の面が縁２２１'に引っかかることによって隙間に係止される。このように、隙間は、少なくともその一部の長さにわたって、充填材２３によって塞がれた状態となる。
【００４２】
充填材２３は、好ましくは、回転における後縁側に設けられるが、前縁側に位置してもよい。
【００４３】
このようにして、形成された被覆材は、被覆材の縁２２１又は縁２２１'の１つに付着した充填材２３を備え、被覆材が印刷板シリンダ１に搭載されたときに形成される隙間を充填材が塞ぐようになっている。充填材２３の断面形状は、好ましくは、矩形状であるが、様々な形状を有していてもよい。
【００４４】
また、充填材２３は、好ましくは、エラストマー材料、及び／又は、圧縮性を付与する空洞又は微小球を含む材料によって構成される。
【００４５】
充填材２３は、押し出し成形又は型成形によって形成し、印刷被覆材の縁２２１又は２２１'の１つに要素に接着されてもよい。これに替えて、充填材を構成する材料を、縁２２１又は２２１'の１つに、封止剤であるかのように直接堆積させることによって、充填剤を形成してもよく、堆積させた後に、断面形状をより良く画定するために輪郭を整えてもよい。
【００４６】
本発明の利点は、隙間を簡潔な方法で埋めることができる点であり、これによって、隙間にインク及び紙粉が堆積するのを防ぐことができ、上述したような問題が起きなくなる。
【００４７】
本明細書に記載された実施形態の特定のモードは、本願の内容を限定せず、特許請求の範囲で規定される発明の全ての変形例を含む。
【図１】
2012507413.tif 000003
【図２】
2012507413.tif 000004
【図３】
2012507413.tif 000005
【図４】
2012507413.tif 000006
【図５】
2012507413.tif 000007
【図６】
2012507413.tif 000008
【図７】
2012507413.tif 000009
【図８】
2012507413.tif 000010
【図９】
2012507413.tif 000011
【図１０】
2012507413.tif 000012
【図１１】
2012507413.tif 000013
【国際調査報告】
2012507413.tif 000014
2012507413.tif 000015
2012507413.tif 000016